(57)【特許請求の範囲】
【請求項１】
略垂直方向に配置される柱状部を備えた造成用構造物に、胞子の付着に適した種苗糸に海藻の胞子を付着させて発芽させた後、その種苗糸をそのままロープ、ホース等の紐状の担体に添着して更に育成して海藻種苗を着生させた紐状体を、当該柱状部周面に長手方向に沿って付設し、その海藻種苗を核として周囲に海藻を繁茂させることを特徴とする海中林造成方法。
【請求項２】
前記紐状体を螺旋状に付設することを特徴とする請求項１に記載の海中林造成方法。
【請求項３】
前記紐状体の両端に係止手段を設けると共に、前記柱状部の頂部及びその基部または基部近傍に当該係止手段と係合して紐状体を柱状部周面に固定する係止部を設けることを特徴とする請求項１又は２に記載の海中林造成方法。
【請求項４】
前記紐状体の長手方向の一部に弾性材を設けることを特徴とする請求項３に記載の海中林造成方法。
【請求項５】
前記紐状体の少なくとも両端部分に、前記柱状部に対する固定手段として結束バンドが一体に取り付けられていることを特徴とする請求項１又は２に記載の海中林造成方法。
【請求項６】
前記柱状部の周面に養藻塗料を塗布することを特徴とする請求項１ないし５のいずれか一項に記載の海中林造成方法。
【発明の詳細な説明】
【０００１】
【発明の属する技術分野】
本発明は、海藻類を中心とする海中林すなわち藻場を造成し、魚介類の繁殖をもたらすように海中の環境を改善するための技術に係り、立体的で永続性のある藻場の形成が可能な海中林造成技術に関する。
【０００２】
【従来の技術】
現在、我国においては沿岸漁業の振興が重要な課題であり、魚介類、海藻類の増殖および養殖が図られている。しかるに、沿岸部においては種々の原因によって藻場が消滅し、藻場を生活の場としている魚介類が激減する、いわゆる「磯焼け」と呼ばれる現象が各地に拡大している。
【０００３】
一般に、海藻は比較的浅い海底の岩石表面に着生し、そこで繁殖する。ところが、磯焼け海域では近くに母藻が存在しないため胞子の供給源がないことや、岩石が石灰藻で覆われ、海藻が着生し難いこと等により生育環境がきわめて悪い。また、砂泥質の海域では海藻の生育は元々困難である。したがって、このような磯焼け海域での藻場の再生や砂泥海域での藻場造りにおいては、海藻の導入を図ることが重要である。
【０００４】
近年、藻体の持込みによる藻場の再生や藻場造りの手段として、藻場造成用ロープを用いる技術が提案されている。この藻場造成用ロープとは、ワカメ養殖などにおいて広く行われているロープ養殖技術を利用し、予め適宜海藻の胞子を付着させた種苗糸を担体としてのロープに添着し、これを海中で育成することにより海藻の幼芽を着生させたものである。そして、この海藻種苗が多数着生したロープを例えば錘と浮きにより適宜水深の海中に水平状態で張設したり、あるいはアンカーを用いて海底に沿わせて固定することにより、目的とする海域に藻場造成の核となる種苗を導入し、成熟した後にこれから放出される胞子によって藻場を造成するものである（特開平８−２５６６１８号等参照）。
【０００５】
【発明が解決しようとする課題】
しかしながら、藻場造成用ロープを海中に水平状態で張設した場合には、悪天候のときに流出する虞があり、さらにそのロープが海流で揺動することから、ロープに着生した海藻の生育が悪く、しかも胞子がロープに付着しにくいためロープでの世代交代がほとんど期待できない。したがって、この藻場造成用ロープは藻場造成の核として機能に問題があった。一方、海底に沿わせて固定した場合には、砂泥による埋没や食害等による被害を受けやすく、いずれの方法においても造成された藻場は平面的であり、海中林といえるような立体的で大規模な藻場の造成は困難であった。
【０００６】
本発明は、上記従来技術の問題点に鑑みなされたもので、海中の有効利用につながる立体的な藻場の造成が可能で且つ永続性のある海中林造成方法を提供することをその目的とするものである。
【０００７】
【課題を解決するための手段】
上記課題を解決するため、本発明の海中林造成方法では、略垂直方向に配置される柱状部を備えた造成用構造物に、海藻種苗を着生させた紐状体を、当該柱状部周面に長手方向に沿って直線状あるいは螺旋状に付設し、その海藻種苗を核に柱状部を基点として周囲にも海藻を繁茂させることを特徴とするものである。
【０００８】
本発明で使用する海藻種苗を着生させた紐状体とは、水槽内においてクレモナ（商品名）等の海藻胞子の付着に適した種苗糸からなる付着基材に海藻の胞子を付着させて発芽させた後、その付着基材をそのままロープやホースなどの適度な太さを有する紐状（本発明ではホース等の中空状のものも紐状に含む。）の担体に添着し、これを海中にて適宜大きさになるまで育成したものである。海藻の種類としては、アラメ、カジメ、クロメ等のコンブ科海藻が好ましく、その中でもツルアラメが好適であるが、もちろんコンブ科海藻に限らず他の種類の海藻でも広く適用が可能である。
【０００９】
また、海藻の着生床となる造成用構造物は、例えば適宜形状のコンクリート基盤にコンクリート柱を立設したもの、あるいは格子枠状に形成された並型漁礁など、ほぼ垂直方向に柱状部分を有する構造物であればよく、また設置状態によってはテトラポッド（商品名）などもその対象となる。なお、それら造成用構造物の素材としてはコンクリートに限らず金属、木材、合成樹脂等でもよく、また柱状部は中空状のものでもよい。そして、これら造成用構造物に対する前記海藻種苗を着生させた紐状体の装着は、目的とする海域に造成用構造物を沈設した後に海中において行うか、あるいは台船上において装着するなど、その時期は特に限定されない。
【００１０】
本発明によれば、柱状部の存在により立体的な海中林の造成が可能である。すなわち、紐状体に着生させた海藻種苗を造成用構造物の柱状部にその長手方向に沿って取着する形で海底に導入することにより、海域の単位面積当りの海藻種苗の導入量を大きくすることができる。そして、海底に設置された柱状部の付近では海流が変化し、柱状部の下部から上方に向けての湧昇流が生じやすいことから、酸素や栄養分が万遍なく行き渡り、また海藻の水深に対する生育条件も充足しやすいため、造成の成功率がきわめて高い。さらに、海底の砂泥の堆積により柱状部下方の海藻が埋没しても上部に着生している海藻が残り、またウニ等の藻食性動物による食害も受けにくく、造成用構造物をコンクリート等の耐久性の高い素材で形成した場合には、造成の核となる海藻が世代交代をしながら長期にわたり残るので、永続性のある海中林を造成することができる。
【００１１】
また、前記紐状体を造成用構造物の柱状部に対して螺旋状に巻き付けた場合には、柱状部の全周面に海藻種苗が配置されることになるので、海流や日照の影響が緩和され柱状部への着生率がより高まり、早期に柱状部の全周に海藻を着生させることができる。
【００１２】
前記紐状体の柱状部に対する固定方法としては、螺旋状あるいは直線状のいずれの場合においても、例えば電線・ケーブル等の結束に広く使用され、ワンタッチで締付けができる合成樹脂製の結束バンド（ファスナー）がコストおよび作業性などの面から好適であり、紐状体を柱状部に沿わせた状態で少なくともその両端部分において締め付ければよい。なお、紐状体の中間部分にも結束バンドを使用すれば、紐状体と柱状部の密着性が高まり、柱状部に対して海藻の仮根がより付着しやすくなる。また、紐状体とこの結束バンドを一体にしてもよく、例えば紐状体がロープの場合にはそれと直交するようにその撚り目に挿通したり、またホースの場合にはその周壁に長手方向に直交する貫通孔を形成し、その貫通孔に挿通したり、あるいは他の部材を介して結合することにより、柱状部への取付の際に紐状体をその表面に押さえておく必要がないので、装着作業が容易になる。また、紐状体の端部に係止手段として輪状部を形成したり、あるいはフック等の係止金具を結合すると共に、柱状部の頂部あるいはその近傍、及び柱状部の基部あるいは基部近傍にはそれら係止手段と係合するフック、突起、溝などの係止部を設けてもよい。さらに、紐状体の長手方向の一部にゴムバンドやスプリング等の弾性材を設けることにより伸縮機能を付与すれば、紐状体の他端側と係合する係止部の位置の制約が少なくなると同時に、紐状体の柱状部周面に対する密着性が高まる。
【００１３】
また、前記柱状部の周面に塗布する養藻塗料としては、例えば本出願人の提案になる光合成細菌、多孔質粒子を用いた担体および当該光合成細菌の栄養成分からなる水域環境改善用塗料（特開平５−２４７３７８号公報参照）が好適である。この塗料を塗布すれば、海藻類の高い着生率を維持し、かつ海藻の生育に必要な栄養分を長期間にわたり安定的に供給することができる。なお、一般の化成肥料を含む塗料の使用ももちろん可能である。
【００１４】
【発明の実施の形態】
以下、図面に基づき本発明の実施の形態について説明する。図１は本発明による造成状態を示した概略正面図である。実施例における造成用構造物１は、コンクリート等から形成された基盤２に同様な素材からなる柱体３を互いに所定の間隔をおいて複数本立設したもので、基盤２の形状は矩形、十字形、三つ又状、六角形など適宜形状のものが選択される。また、柱体３としては実施例のような円柱の他に多角柱、あるいは中空状のものでもよく、その表面と基盤２の底面以外の面には養藻塗料が塗布されている。因みに柱体３の長さとしては、４ｍ前後が好適であるが、設置場所の水深等によっては適宜変更する。なお、養藻塗料は必ずしも用いる必要はない。そして、海藻種苗１１を着生させた紐状体１０を柱体３の外周面にその全長に渡るように螺旋状に巻き付け、紐状体１０の両端に結合した係止手段としての鉤状金具１２，１２を、柱体３の頂部及びその基部近くの基盤２の上面に植設した係止部としての逆Ｕ字状金具１３，１４とにそれぞれ掛合させて固定し、これを造成区域に沈設すると、紐状体１０のほぼ全長に渡り着生している多数の海藻種苗１１が核となり、成熟した海藻から放出される胞子により基盤２およびその周囲に海藻を繁茂させることができる。なお、逆Ｕ字状金具１３，１４は、沈設作業の際の吊下げ用のフックを兼用してもよい。この造成方法によれば、藻場造成の核となる海藻が、所定位置に設置された造成用構造物１のほぼ垂直方向に立設している柱体３を着生床としていることから、湧昇流等の影響で良好に生育し、しかも造成用構造物１が永久構造物であるためそこで順調に世代交代が行われ、長期間に渡って存在し、周囲にたくさんの胞子を放散することになる。
【００１５】
なお、造成用構造物１の周囲に岩礁等の着生床がない場所では、捨て石等をその周囲に布設するのが望ましく、大規模な海中林の造成を図る場合には、この造成用構造物１の多数を相互に適宜間隔で設置したり、あるいは複数の造成用構造物１を群としてまとめ、その複数群間に魚網の投入が可能な間隔をあけて設置するようにしてもよい。上記実施例では、造成用構造物１のすべての柱体３に紐状体１０を付設しているが、特に短期間での造成を求めない場合には複数本の柱体３のうちの少なくとも１本に付設し、そこから放出される胞子を介して周囲に海藻を繁茂させることも可能である。紐状体１０の付設時期に関しては、造成用構造物１を沈設する前でも後でも構わない。さらに、紐状体１０の付設は、１本の柱体３に対して複数本としたり、またその配置を直線状としてもよいが、日照や海流等を考慮すると螺旋巻が好ましく、その場合には柱体３に対する密着性の点から円形が望ましい。
【００１６】
図２は、紐状体の固定方法として他の例を示す図である。ここでは、柱体３に螺旋巻された紐状体１０が、電線やケーブルなどの結束に広く使用されている合成樹脂製の結束バンド２０によりその所々を押さえつけられている。この結束バンド２０は、バンド本体の一端側に掛止用ボックス２１を有し、鋸刃状突起（図示せず）がバンド本体の片面に形成された他端部２２をその内部に挿通すると、掛止用ボックス２１内に設けられている爪片が鋸刃状突起と掛合することにより所定の位置で固定されるもので、紐状体１０を柱体３に沿わせた状態で巻回し、他端部２２をそのまま引っ張るだけで両者を一体に締付け固定ができる。この場合、紐状体１０は柱体３に対してその全長が密着しているほうが海藻の仮根が柱体３の表面に着生しやすいことから、紐状体１０の中間部分も固定するほうが望ましいが、少なくとも両端部分のみの固定でも何ら差し支えない。なお、柱体３の少なくとも上下２個所に貫通孔を設け、この貫通孔に予め結束バンド２０を挿通しておいてもよい。
【００１７】
図３および図４は、紐状体１０の固定方法を変更した他の実施例である。図３に示す紐状体１０は、結束金具１５を用いて端部に係止手段としての輪１６を形成したものである。そして、造成用構造物１には、柱体３の頂部とその基部近傍に鉤状あるいは突起などの係止部（図示せず）を設け、紐状体１０の輪１６をそれらに係合させることにより固定するものである。また図４では、柱体３の上端面に係止部としての溝４を形成し、この溝４に図３の紐状体１０の輪１６を掛合させたもので、紐状体１０の他端側は図３と同様に鉤状あるいは突起などの係止部に係合させることにより固定する。
【００１８】
さらに、図５に示すように、紐状体１０の端部にゴムやスプリングなどの弾性材料からなる伸縮部材１７を介して鉤状金具１２を取り付けてもよく、この場合には長さ調整機能が付与されていることから、造成用構造物１側に設ける係止部の位置をそれほど考慮することなく確実に密着させて固定することができる。
【００１９】
また、図６および図７は、それぞれ前記結束バンド２０を紐状体１０に結合させた場合の要部を示す平面図および正面図で、合成樹脂からなる可撓性の平板２３に形成された２個所の孔２４に結束バンド２０を挿通し、この平板２３と結束バンド２０とにより紐状体１０を挟持するものである。この場合には、両者が連結されていることから、装着時に紐状体１０を押さえながら作業を行う図２に示す方法に比べると、柱体３への取付が容易になる。なお、紐状体１０の担体としてロープを使用した場合には、その撚り目を開いて結束バンド２０を挿通してもよい。また、図８に示す結束バンド３０は、掛止用ボックス３１に２個の挿入孔３２，３３が並設されたもので、初めに紐状体１０のみに巻回して内側の挿入孔３２にて紐状体１０と結束バンド３０とを連結し、次いで柱体３に対しては残りの挿入孔３３を利用して固定することができる。
【００２０】
なお、上記各実施例では、基盤２に立設した柱体３からなる造成用構造物１を対象として説明したが、例えば図９に示すような格子状の枠体からなるコンクリート製並型漁礁４０に紐状体１０を結束バンド２０で固定するなど、海底に沈設したときに柱状部分が垂直方向に立設されるような構造物にももちろん適用することができ、また紐状体１０の柱状部に対する固定方法として他の手段を採用するなど、この発明の技術思想内での種々の変更は可能である。
【００２１】
【発明の効果】
本発明によれば、略垂直方向に配置される柱状部を備えた造成用構造物に、海藻種苗を着生させた紐状体を、当該柱状部周面に長手方向に沿って直線状あるいは螺旋状に付設し、その海藻種苗を核として周囲に海藻を繁茂させるものであるから、砂泥による埋没や藻食性動物の食害を受け難く、しかも海中を立体的に有効に活用することができ、高い成功率で大規模な海中林を造成することができる。
【図面の簡単な説明】
【図１】  本発明による造成状態の一例を示す概略正面図である。
【図２】  紐状体の固定方法の他の例を示す概略説明図である。
【図３】  紐状体の係止手段として他の例を示す部分正面図である。
【図４】  図３に示す紐状体の固定方法の一例を示す要部斜視図である。
【図５】  紐状体の係止手段として他の例を示す部分正面図である。
【図６】  紐状体の固定方法の他の例を示す要部平面図ある。
【図７】  図６の要部正面図である。
【図８】  結束バンドの他の例を示す正面図である。
【図９】  本発明による造成状態の他の例を示す概略正面図である。
【符号の説明】
１，４０…造成用構造物、２…基盤、３…柱状部、１０…紐状体、１１…海藻種苗、２０，３０結束バンド
【図１】
0004270612.tif 000002
【図２】
0004270612.tif 000003
【図３】
0004270612.tif 000004
【図４】
0004270612.tif 000005
【図５】
0004270612.tif 000006
【図６】
0004270612.tif 000007
【図７】
0004270612.tif 000008
【図８】
0004270612.tif 000009
【図９】
0004270612.tif 000010